(57)【要約】【課題】エアコンプレッサ１の効率を十分に高めた上で、グリス封入型の軸受１５，２５に封入したグリスが引き出されることを十分に抑制すること。【解決手段】第１ロータ本体１３の端面における第１軸受１５の非接触シール１５ａの内縁部近傍に環状の第１溝４３が形成され、第２ロータ本体２３の端面における第２軸受２５の非接触シール２５ａの内縁部近傍に環状の第２溝４５が形成されていること。【選択図】図１
2009228548.tif 000002
【特許請求の範囲】
【請求項１】
空気を圧縮して圧縮空気を生成するエアコンプレッサにおいて、
内部にロータ室を有し、一端側に前記ロータ室内へ空気を吸入する吸入口を有し、他端側に前記ロータ室内の圧縮空気を吐出する吐出口を有したケーシングと、
前記ケーシングに回転可能に設けられ、前記ケーシングの前記ロータ室に配設された第１ロータ本体と、この第１ロータ本体の両端面から突出しかつ前記ケーシングに複数の第１軸受を介して回転可能に支持された第１回転軸とを備えた第１ロータと、
前記ケーシングに回転可能に前記第１ロータに平行に設けられ、前記ケーシングの前記ロータ室に配設されかつ前記第１ロータ本体に噛み合う第２ロータ本体と、この第２ロータ本体の両端面から突出しかつ前記ケーシングに複数の第２軸受を介して回転可能に支持された第２回転軸とを備えた第２ロータと、
前記第１ロータ及び前記第２ロータを逆方向に同期して回転駆動させる駆動源と、を具備し、
複数の前記第１軸受及び複数の前記第２軸受のうち、いずれかの前記第１軸受及びいずれかの前記第２軸受は、両側に環状のグリス漏れ防止用の非接触シールを有したグリス封入型の軸受であって、
前記第１ロータ本体の端面における前記第１軸受の前記非接触シールの内縁部近傍及び／又は前記第２ロータ本体の端面における前記第２軸受の前記非接触シールの内縁部近傍に、環状の溝が形成されていることを特徴とするエアコンプレッサ。
【請求項２】
空気を圧縮して圧縮空気を生成するエアコンプレッサにおいて、
内部にロータ室を有し、一端側に前記ロータ室内へ空気を吸入する吸入口を有し、他端側に前記ロータ室内の圧縮空気を吐出する吐出口を有したケーシングと、
前記ケーシングに回転可能に設けられ、前記ケーシングの前記ロータ室に配設された第１ロータ本体と、この第１ロータ本体の両端面から突出しかつ前記ケーシングに複数の第１軸受を介して回転可能に支持された第１回転軸とを備えた第１ロータと、
前記ケーシングに回転可能に前記第１ロータに平行に設けられ、前記ケーシングの前記ロータ室に配設されかつ前記第１ロータ本体に噛み合う第２ロータ本体と、この第２ロータ本体の両端面から突出しかつ前記ケーシングに複数の第２軸受を介して回転可能に支持された第２回転軸とを備えた第２ロータと、
前記第１ロータ及び前記第２ロータを逆方向に同期して回転駆動させる駆動源と、を具備し、
複数の前記第１軸受及び複数の前記第２軸受のうち、いずれかの前記第１軸受及びいずれかの前記第２軸受は、両側に環状のグリス漏れ防止用の非接触シールを有したグリス封入型の軸受であって、
前記ケーシングの側部に、前記第１ロータ本体の端面とグリス封入型の前記第１軸受を区画する第１隔壁及び／又は前記第２ロータ本体の端面と前記グリス封入型の前記第２軸受を区画する第２隔壁が設けられていることを特徴とするエアコンプレッサ。
【発明の詳細な説明】
【技術分野】
【０００１】
本発明は、例えば燃料電池システム又は医療機器等に用いられ、空気を圧縮して圧縮空気を生成するスクリュー型又はルーツ型のエアコンプレッサに関する。
【背景技術】
【０００２】
近年、空気を圧縮して圧縮空気を生成するエアコンプレッサについて種々な開発がなされており（特許文献１、特許文献２参照）、一般的なエアコンプレッサの構成を簡単に説明すると、次のようになる。
【０００３】
一般的なエアコンプレッサは、ケーシングを具備しており、このケーシングは、内部に、ロータ室を有している。また、ケーシングは、一端側に、ロータ室内へ空気を吸入する吸入口を有し、他端側に、ロータ室内の圧縮空気を吐出する吐出口を有している。
【０００４】
ケーシングには、第１ロータが回転可能に設けられており、この第１ロータは、ケーシングのロータ室に配設された第１ロータ本体と、この第１ロータ本体の両端面から突出しかつケーシングに複数の第１軸受を介して回転可能に支持された第１回転軸とを備えている。また、ケーシングには、第２ロータが回転可能かつ第１ロータに平行に設けられており、この第２ロータは、ケーシングのロータ室に配設されかつ第１ロータ本体に噛み合う第２ロータ本体と、この第２ロータ本体の両端面から突出しかつケーシングに複数の第２軸受を介して回転可能に支持された第２回転軸とを備えている。そして、適宜位置には、第１ロータ及び第２ロータを逆方向に同期して回転駆動させるモータ等の駆動源が設けられている。
【０００５】
従って、駆動源によって第１ロータ及び第２ロータを逆方向へ同期して回転駆動させることにより、ケーシングの吸入口から空気をロータ室内へ吸入して、ロータ室内において空気を圧縮して圧縮空気を生成し、ケーシングの吐出口からロータ室内の圧縮空気を吐出することができる。
【特許文献１】特開平５−３２１８５８
【特許文献２】特開２００５−１５５４０８
【発明の開示】
【発明が解決しようとする課題】
【０００６】
ところで、通常、複数の第１軸受及び複数の第２軸受のうちいずれかの第１軸受及び第２軸受には、軸受（第１軸受及び第２軸受）の潤滑管理の利便性を考慮して、両側に環状のグリス漏れ防止用の非接触シールを有したグリス封入型の軸受が用いられている。また、近年、エアコンプレッサの高効率化の要請が強く、エアコンプレッサの効率（圧縮効率）を十分に高めるために、ケーシングのロータ室の壁面とロータ本体（第１ロータ本体及び第２ロータ本体）の端面との間隙を小さくする必要がある。
【０００７】
一方、ケーシングの内壁面とロータ本体の端面との間隙を小さくすると、エアコンプレッサの運転中に、ロータ（第１ロータ及び第２ロータ）の回転による遠心力がグリス封入型の軸受に大きく働くことになる。そのため、グリス封入型の軸受に封入したグリスが引き出されて、グリス封入型の軸受に焼き付け等が生じて、軸受の寿命が短くなるとと共に、生成された圧縮空気にグリスが混入して、圧縮空気のクリーン度が低下するという問題がある。
【０００８】
そこで、本発明は、前述の問題を解決することができる、新規な構成のエアコンプレッサを提供することを目的とする。
【課題を解決するための手段】
【０００９】
本発明の第１の特徴は、空気を圧縮して圧縮空気を生成するエアコンプレッサにおいて、内部にロータ室を有し、一端側に前記ロータ室内へ空気を吸入する吸入口を有し、他端側に前記ロータ室内の圧縮空気を吐出する吐出口を有したケーシングと、前記ケーシングに回転可能に設けられ、前記ケーシングの前記ロータ室に配設された第１ロータ本体と、この第１ロータ本体の両端面から突出しかつ前記ケーシングに複数の第１軸受を介して回転可能に支持された第１回転軸とを備えた第１ロータと、前記ケーシングに回転可能に前記第１ロータに平行に設けられ、前記ケーシングの前記ロータ室に配設されかつ前記第１ロータ本体に噛み合う第２ロータ本体と、この第２ロータ本体の両端面から突出しかつ前記ケーシングに複数の第２軸受を介して回転可能に支持された第２回転軸とを備えた第２ロータと、前記第１ロータ及び前記第２ロータを逆方向に同期して回転駆動させる駆動源と、を具備し、複数の前記第１軸受及び複数の前記第２軸受のうち、いずれかの前記第１軸受及びいずれかの前記第２軸受は、両側に環状のグリス漏れ防止用の非接触シールを有したグリス封入型の軸受であって、前記第１ロータ本体の端面における前記第１軸受の前記非接触シールの内縁部近傍及び／又は前記第２ロータ本体の端面における前記第２軸受の前記非接触シールの内縁部近傍に、環状の溝が形成されていることを要旨とする。
【００１０】
なお、本願の特許請求の範囲及び明細書中において、「設けられ」とは、直接的に設けられたことの他に、中間部材を介して間接的に設けられたことを含む意である。
【００１１】
本発明の第１の特徴によると、前記駆動源によって前記第１ロータ及び前記第２ロータを逆方向へ同期して回転駆動させることにより、前記ケーシングの前記吸入口から空気を前記ロータ室内へ吸入して、前記ロータ室内において空気を圧縮して圧縮空気を生成し、前記ケーシングの前記吐出口から前記ロータ室内の圧縮空気を吐出することができる（第１の特徴による一般的な作用）。
【００１２】
前記第１ロータ本体の端面における前記第１軸受の前記非接触シールの内縁部近傍及び／又は前記第２ロータ本体の端面における前記第２軸受の前記非接触シールの内縁部近傍に環状の溝が形成されているため、前記ケーシングの内壁面とロータ本体（前記第１ロータ本体及び／又は前記第２ロータ本体）の端面との間隙を小さくしても、前記エアコンプレッサの運転中に、グリス封入型の軸受（前記第１軸受及／又はび前記第２軸受）の前記非接触シールの内縁部近傍に働くロータ（前記第１ロータ及び／又は前記第２ロータ）の回転による遠心力を局所的に弱めることができる（第１の特徴による特有の作用）。
【００１３】
本発明の第２の特徴は、空気を圧縮して圧縮空気を生成するエアコンプレッサにおいて、内部にロータ室を有し、一端側に前記ロータ室内へ空気を吸入する吸入口を有し、他端側に前記ロータ室内の圧縮空気を吐出する吐出口を有したケーシングと、前記ケーシングに回転可能に設けられ、前記ケーシングの前記ロータ室に配設された第１ロータ本体と、この第１ロータ本体の両端面から突出しかつ前記ケーシングに複数の第１軸受を介して回転可能に支持された第１回転軸とを備えた第１ロータと、前記ケーシングに回転可能に前記第１ロータに平行に設けられ、前記ケーシングの前記ロータ室に配設されかつ前記第１ロータ本体に噛み合う第２ロータ本体と、この第２ロータ本体の両端面から突出しかつ前記ケーシングに複数の第２軸受を介して回転可能に支持された第２回転軸とを備えた第２ロータと、前記第１ロータ及び前記第２ロータを逆方向に同期して回転駆動させる駆動源と、を具備し、複数の前記第１軸受及び複数の前記第２軸受のうち、いずれかの前記第１軸受及びいずれかの前記第２軸受は、両側に環状のグリス漏れ防止用の非接触シールを有したグリス封入型の軸受であって、前記ケーシングの側部に、前記第１ロータ本体の端面とグリス封入型の前記第１軸受を区画する第１隔壁及び／又は前記第２ロータ本体の端面と前記グリス封入型の前記第２軸受を区画する第２隔壁が設けられていることを要旨とする。
【００１４】
なお、「前記ケーシングの側部に前記第１隔壁が設けられ」とは、前記ケーシングに側部に前記第１隔壁を有している場合を含む意であって、同様に、「前記ケーシングの側部に前記第２隔壁が設けられ」とは、前記ケーシングに側部に前記第２隔壁を有している場合を含む意である。
【００１５】
本発明の第２の特徴によると、前記駆動源によって前記第１ロータ及び前記第２ロータを逆方向へ同期して回転駆動させることにより、前記ケーシングの前記吸入口から空気を前記ロータ室内へ吸入して、前記ロータ室内において空気を圧縮して圧縮空気を生成し、前記ケーシングの前記吐出口から前記ロータ室内の圧縮空気を吐出することができる（第２の特徴による一般的な作用）。
【００１６】
前記ケーシングの側部に前記第１隔壁及び／又は前記第２隔壁が設けられているため、前記ケーシングの内壁面とロータ本体（前記第１ロータ本体及び／又は前記第２ロータ本体）の端面との間隙を小さくしても、隔壁（前記第１隔壁及び／又は前記第２隔壁）の厚み分だけグリス封入型の軸受（前記第１軸受及び／又は前記第２軸受）を前記ロータ本体の端面から遠ざけることができ、前記エアコンプレッサの運転中に、前記軸受の前記非接触シールの内縁部近傍に働くロータ（前記第１ロータ及び／又は前記第２ロータ）の回転による遠心力を弱めることができる（第２の特徴による特有の作用）。
【発明の効果】
【００１７】
本発明の第１の特徴によれば、前記ケーシングの内壁面と前記ロータ本体の端面との間隙を小さくしても、前記エアコンプレッサの運転中に、前記軸受の前記非接触シールの内縁部近傍に働く前記ロータの回転による遠心力を局所的に弱めることができるため、前記エアコンプレッサの効率（圧縮効率）を十分に高めた上で、グリス封入型の前記軸受に封入したグリスが引き出されることを十分に抑制して、グリス封入型の前記軸受の寿命を延ばすことができると共に、生成された圧縮空気のクリーン度を高めることができる。
【００１８】
本発明の第２の特徴によれば、前記ケーシングの内壁面と前記ロータ本体の端面との間隙を小さくしても、前記隔壁の厚み分だけグリス封入型の前記軸受を前記ロータ本体の端面から遠ざけることができ、前記エアコンプレッサの運転中に、前記軸受の前記非接触シールの内縁部近傍に働く前記ロータの回転による遠心力を弱めることができるため、前記エアコンプレッサの効率（圧縮効率）を十分に高めた上で、グリス封入型の前記軸受に封入したグリスが引き出されることを十分に抑制して、グリス封入型の前記軸受の寿命を延ばすことができると共に、生成された圧縮空気のクリーン度を高めることができる。
【発明を実施するための最良の形態】
【００１９】
（第１実施形態）
第１実施形態について図１及び図２を参照して説明する。ここで、図１は、第１実施形態に係るスクリュー型のエアコンプレッサの断面図、図２は、第１実施形態に係るスクリュー型のエアコンプレッサの要部を示す拡大図である。なお、図中、「Ｌ」は、左方向を指し、「Ｒ」は、右方向を指すものである。
【００２０】
図１及び図２に示すように、第１実施形態に係るスクリュー型のエアコンプレッサ１は、燃料電池システム又は医療機器等に用いられ、空気を圧縮して圧縮空気を生成するものである。そして、スクリュー型のエアコンプレッサ１の具体的な構成は、以下のようになる。
【００２１】
即ち、スクリュー型のエアコンプレッサ１は、ケーシング３を具備しており、このケーシング３は、内部に、ロータ室５を有している。また、ケーシング３は、右端側（一端側）に、ロータ室５へ空気を吸入する吸入口７を有し、左端側（他端側）に、ロータ室５内の圧縮空気を吐出する吐出口９を有している。
【００２２】
ケーシング３には、第１ロータとしての雌ロータ１１が回転可能に設けられている。そして、雌ロータ１１は、ケーシング３のロータ室５に配設された第１ロータ本体としての雌ロータ本体１３と、この雌ロータ本体１３の両端面から突出しかつケーシング３に複数の第１軸受１５，１７を介して回転可能に支持された第１回転軸１９とを備えている。なお、雌ロータ本体１３は、螺旋状に延びた複数の螺旋凹部１３ａからなっている。
【００２３】
ケーシング３には、第２ロータとしての雄ロータ２１が回転可能かつ雌ロータ１１に平行に設けられている。そして、雄ロータ２１は、ケーシング３のロータ室５に配設されかつ雌ロータ本体１３に噛み合う第２ロータ本体としての雄ロータ本体２３と、この雄ロータ本体２３の両端面から突出しかつケーシング３に複数の第２軸受２５，２７を介して回転可能に支持された第２回転軸２９とを備えている。なお、雄ロータ本体２３は、螺旋状に延びた複数の螺旋凸部２３ａからなっている。
【００２４】
ケーシング３の左側には、潤滑油（図示省略）を貯留するギアボックス３１が一体的に設けられており、第１回転軸１９の左端部及び第２回転軸２９の左端部は、ギアボックス３１内に位置している。また、第１回転軸１９の左端部には、駆動ギア３３が一体的に設けられており、第２回転軸２９の左端部には、駆動ギア３３に噛み合った従動ギア３５が一体的に設けられている。そして、ギアボックス３１には、第１回転軸１９及び第２回転軸２９を逆方向へ同期して回転駆動させる駆動源としての駆動モータ３７が設けられており、この駆動モータ３７の出力軸３９は、カップリング４１を介して第１回転軸１９に連動連結してある。
【００２５】
ここで、第１実施形態にあっては、第１軸受１５（第２軸受２５）は、両側に環状のグリス漏れ防止用の非接触シール１５ａ（２５ａ）を有したグリス封入型の軸受である。また、第１軸受の非接触シール１５ａの外縁部は、第１軸受１５の外輪１５ｂに固定されてあって、第１軸受１５の非接触シール１５ａの内縁部は、第１軸受１５の内輪１５ｃに近接してある。同様に、第２軸受２５の非接触シール２５ａの外縁部は、第２軸受２５の外輪２５ｂに固定されてあって、第２軸受２５の非接触シール２５ａの内縁部は、第２軸受２５の内輪２５ｃに近接してある。
【００２６】
なお、第１軸受１５の外輪１５ｂは、ケーシング３に固定されており、第１軸受１５の内輪１５ｃは、第１回転軸１９に固定されてあって、第１回転軸１９と一体的に回転するものである。また、第２軸受２５の外輪２５ｂは、ケーシング３に固定されており、第２軸受２５の内輪２５ｃは、第２回転軸２９に固定されてあって、第２回転軸２９と一体的に回転するものである。
【００２７】
そして、雌ロータ本体１３の右端面（一端面）におけるグリス封入型の第１軸受１５の非接触シール１５ａの内縁部近傍、具体的には、雌ロータ本体１３の右端面におけるグリス封入型の第１軸受１５の非接触シール１５ａの内縁部に対向した部位には、環状の第１溝４３が第１回転軸１９を囲むように形成されている。同様に、雄ロータ本体２３の右端面（一端面）におけるグリス封入型の第２軸受２５の非接触シール２５ａの内縁部近傍、具体的には、雄ロータ本体２３の右端面におけるグリス封入型の第２軸受２５の非接触シール２５ａの内縁部に対向した部位には、環状の第２溝４５が第２回転軸２９を囲むように形成されている。
【００２８】
なお、図１に示すように、ケーシング３における第１軸受１５の右側近傍には、粉塵等の侵入を防止するシールキャップ４７が設けられており、同様に、ケーシング３における第２軸受２５の右側近傍には、粉塵等の侵入を防止するシールキャップ４９が設けられている。また、ケーシング３における第１回転軸１９の左端部の周囲には、潤滑油の侵入を防止する第１オイルシール５１及び空気の漏れを防止する第１エアシール５３が設けられており、同様に、ケーシング３における第２回転軸２９の左端部の周囲には、潤滑油の侵入を防止する第２オイルシール５５及び空気の漏れを防止する第２エアシール５７が設けられている。
【００２９】
続いて、第１実施形態の作用及び効果について説明する。
【００３０】
駆動モータ３７によってカップリング４１、駆動ギア３３、及び従動ギア３５を介して雌ロータ１１及び雄ロータ２１を逆方向へ同期して回転駆動させる。これにより、ケーシング３の吸入口７から空気をロータ室５内へ吸入して、ロータ室５内において空気を圧縮して圧縮空気を生成し、ケーシング３の吐出口９からロータ室５内の圧縮空気を吐出することができる（第１実施形態による一般的な作用）。
【００３１】
雌ロータ本体１３の右端面におけるグリス封入型の第１軸受１５の非接触シール１５ａの内縁部に対向する部位に環状の第１溝４３が形成され、雄ロータ本体２３の右端面におけるグリス封入型の第２軸受２５の非接触シール２５ａの内縁部に対向する部位に環状の第２溝４５が形成されているため、ケーシング３の内壁面とロータ本体（雌ロータ本体１３及び雄ロータ本体２３）の右端面との間隙を小さくしても、スクリュー型のエアコンプレッサ１の運転中に、グリス封入型の軸受（第１軸受１５及び第２軸受２５）の非接触シール１５ａ，２５ａの内縁部近傍に働くロータ（雌ロータ１１及び雄ロータ２１）の回転による遠心力を局所的に弱めることができる（第１実施形態による特有の作用）。
【００３２】
従って、第１実施形態によれば、前述の第１実施形態による特有の作用を奏するために、スクリュー型のエアコンプレッサ１の効率（圧縮効率）を十分に高めた上で、グリス封入型の軸受１５，２５に封入したグリスが引き出されることを十分に抑制して、グリス封入型の軸受１５，２５の寿命を延ばすことができると共に、生成された圧縮空気のクリーン度を高めることができる。
【００３３】
（第２実施形態）
本発明の第２実施形態について図３及び図４を参照して説明する。
【００３４】
ここで、図３は、第２実施形態に係るスクリュー型のエアコンプレッサの断面図、図４は、第２実施形態に係るスクリュー型のエアコンプレッサの要部を示す拡大図である。
【００３５】
図３に示すように、第２実施形態に係るスクリュー型のエアコンプレッサは、第１実施形態に係るスクリュー型のエアコンプレッサ１と同様に、空気を圧縮して圧縮空気を生成するものであって、スクリュー型のエアコンプレッサ１と略同じ構成を有しており、スクリュー型のエアコンプレッサ５９の具体的な構成のうち、スクリュー型のエアコンプレッサ１の具体的な構成と異なる部分について説明する。なお、スクリュー型のエアコンプレッサ５９における複数の構成要素のうち、スクリュー型のエアコンプレッサ１における構成要素と対応するものについては、図中に同一番号を付して、説明を省略する。
【００３６】
即ち、第２実施形態に係るスクリュー型のエアコンプレッサ５９にあっては、
雌ロータ本体１３の右端面におけるグリス封入型の第１軸受１５の非接触シール１５ａの内縁部近傍は環状の第１溝４３が形成される代わりに、ケーシング３は、右側部に、雌ロータ本体１３の右端面（一端面）とグリス封入型の第１軸受１５を区画する環状の第１隔壁６１を有しており、この第１隔壁６１は、非接触シール１５ａと雌ロータ本体１３の右端面との間に位置している。同様に、雄ロータ本体２３の右端面におけるグリス封入型の第２軸受２５の非接触シール２５ａの内縁部近傍に環状の第２溝４５が形成される代わりに、ケーシング３は、右側部に、雄ロータ本体２３の右端面とグリス封入型の第２軸受２５を区画する環状の第２隔壁６３を有しており、この第２隔壁６３は、非接触シール２５ａと雄ロータ本体２３の右端面との間に位置している。なお、第１隔壁６１及び第２隔壁６３は環状に限られるものでなく、ケーシング３の左側部の一部として第１隔壁６１及び第２隔壁６３を有する代わりに、雌ロータ本体１３の右端面とグリス封入型の第１軸受１５を区画する第１隔壁、及び雄ロータ本体２３の右端面とグリス封入型の第２軸受２５を区画する第２隔壁をケーシング３の左側部に別部材として設けられるようにしても構わない。
【００３７】
続いて、第２実施形態の作用及び効果について説明する。
【００３８】
第２実施形態においても、前述の第１実施形態による一般的な作用と同様に作用を奏する他に、ケーシング３は右側部に第１隔壁６１及び第２隔壁６３を有しているため、ケーシング３の内壁面とロータ本体（雌ロータ本体１３及び雄ロータ本体２３）の右端面との間隙を小さくしても、隔壁（第１隔壁６１及び第２隔壁６３）の厚み分だけグリス封入型の軸受（第１軸受１５及び第２軸受２５）をロータ本体１３，２３の右端面から遠ざけることができ、スクリュー型のエアコンプレッサ５９の運転中に、グリス封入型の軸受１５，２５の非接触シール１５ａ，２５ａの内縁部近傍に働くロータ（雌ロータ１１及び雄ロータ２１）の回転による遠心力を弱めることができる（第２実施形態による特有の作用）。
【００３９】
従って、第２実施形態によれば、前述の第２実施形態による特有の作用を奏するために、スクリュー型のエアコンプレッサ５９の効率（圧縮効率）を十分に高めた上で、グリス封入型の軸受１５，２５に封入したグリスが引き出されることを十分に抑制して、グリス封入型の軸受１５，２５の寿命を延ばすことができると共に、生成された圧縮空気のクリーン度を高めることができる。
【００４０】
なお、本発明は、前述の実施形態の説明に限られるものではなく、例えば、スクリュー型のエアコンプレッサ１，５９に適用した技術思想をルーツ型のエアコンプレッサに適用したり、第１溝４３と第２隔壁６３（或いは第２溝４５と第１隔壁５１）を組み合わせたりする等、その他、種々の態様で実施可能である。また、本発明に包含される権利範囲は、これらの実施形態に限定されないものである。
【図面の簡単な説明】
【００４１】
【図１】第１実施形態に係るスクリュー型のエアコンプレッサの断面図である。
【図２】第１実施形態に係るスクリュー型のエアコンプレッサの要部を示す拡大図である。
【図３】第２実施形態に係るスクリュー型のエアコンプレッサの断面図である。
【図４】第２実施形態に係るスクリュー型のエアコンプレッサの要部を示す拡大図である。
【符号の説明】
【００４２】
１        スクリュー型のエアコンプレッサ
３        ケーシング
５        ロータ室
７        吸入口
９        吐出口
１１        雌ロータ
１３        雌ロータ本体
１５        第１軸受
１５ａ      非接触シール
１７        第１軸受
１９        第１回転軸
２１        雄ロータ
２３        雄ロータ本体
２５        第２軸受
２５ａ      非接触シール
２７        第２軸受
２９        第２回転軸
３７        駆動モータ
４３        第１溝
４５        第２溝
５９        スクリュー型のエアコンプレッサ
６１        第１隔壁
６３        第２隔壁
【図１】
2009228548.tif 000003
【図２】
2009228548.tif 000004
【図３】
2009228548.tif 000005
【図４】
2009228548.tif 000006